(57)【要約】      （修正有）【課題】現代病とも言われている、腰痛、肩こり等ストレスを柔軟運動により解消する揺動＆運動装置を提供する。【解決手段】原動機８に接続の回転軸１１の前後に傘車を施し、その回転を正逆回転になるようにセットし、回転軸１１に四基の偏芯駆動輪１を軸架し、回転、回動上に傾動可能な揺動板７を載置、揺動板７の先鋭端をカール状に成し、回転軸１１の回動で、∞形の軌跡を辿り回転回動、揺動運動成する。安全で製造メンテナンスも容易な揺動＆運動装置。【選択図】図２
2007007366.tif 000002
【特許請求の範囲】
【請求項１】
本発明は一側に前後一対の偏芯輪を施設、偏芯輪に駆動源を伝達「図３」記載、回転軸の前後に傘車を軸架成し、前後の偏芯駆動輪を正逆の回転回動とし、その回転の傘車に、他側の傘車を接続一側の偏芯駆動輪と同時回転と成し「図１」記載、上部に配置の傾動可能の踏み板に足部、腰部を載置、∞形の軌跡を辿り、揺動可能を特徴とした、揺動＆運動装置。
【請求項２】
前記「請求項１」記載の偏芯駆動輪に施設、足腰、載置の揺動板の両先鋭端をカール状に施し「図１−７」記載、偏芯駆動輪の外周を摺動カバー、偏芯輪の回動外周を沿い揺動、上記記載の∞形軌跡を辿り、揺動運動のエンドレス回転を特徴の揺動＆運動装置。
【請求項３】
「請求項１」〜「請求項２」に記載の揺動＆運動装置において「図４」記載、偏芯駆動輪の回転運動の偏芯量を調整可能としたことを特徴の揺動＆運動装置。
【請求項４】
前述の揺動＆運動装置に「図１」に記載、平面状態での運動も望ましい。水泳運動の擬似体位を基礎に腰筋、腹筋、側筋、背筋、大腿筋等の躍動訓練が容易に出来る特徴の、揺動＆運動装置。
【請求項５】
揺動＆運動装置の上面中央に「図２」記載、円形の回転盤を施設、運動中に腰部の揺動に伴いツイスト運動を並行して成り、又不必要の際は回転を停止時には回転作用のカムブレイキを施し更に、「図２」記載、中央底部基礎部にアーチバーを立設「取り外し式」、仰向け状態での運動に上腕をクロスにしてバーを握り、腰部を捻り、上腕部と下肢にベルト掛けて、背筋、腹筋、大腿筋の屈伸運動補助帯に、タイミングベルトを配し、平面状態での運動が容易に出来る特徴の、「請求項１」〜「請求項５」各項に記載の揺動＆運動装置。
【発明の詳細な説明】
【発明の詳細の説明】
【０００１】最近特に運動不足による腰痛、肩こり、下肢のムクミ等、現代病に悩まされている今日、フィットネス等にて体調管理に励んでいる現況にあるが、余避時間が採れない現状にあります。
家庭で気軽に使用できる「図１」記載、運動器具が望まれる。その懸案を解消すべく本発明は揺動＆運動装置に関し、提案するものである。
【技術分野】
【０００２】本発明は「図３」記載、回転軸上部に四基の偏芯駆動輪を施設、その回転軸に駆動源を接続して成り、回転軸の前後に「図３」記載の傘車を施設、回転を正逆回転に成し「図１」記載、一側の傘車に他側の傘車を接続、同時回転とし「請求項２」、「図１」に記載、上部に傾動可能の揺動板を施し、回転を∞形の軌跡を辿り、エンドレスに回動成す、揺動＆運動装置を提供。【０００３】「請求項３」「図３」記載の偏芯駆動輪の偏芯量を調整可能になし又「請求項１」記載の偏芯輪駆動輪上に施設「図１」記載の傾動可能な揺動板の先鋭端を各々カール状に施し、偏芯駆動輪の外周を添い、カバーが摺動しながら∞形の軌跡を回動その揺動盤中央部に「図２」記載の回転板を施し、腰部の捻り運動をも付加成し、エンドレス回転により脊髄可変、腰部、腹筋、側筋、背筋、下肢、アキレス腱等の柔軟な全身運動が捗ります。
【背景技術】
【０００４】車、優先社会と言はれる近年、運動不足による「図５」記載の運動器の発案による、脊髄可変、腰痛、肩コリ、アキレス腱の張り、長時間のデスクワーク等に依る下肢のムクミが激増している。その問題解消成すに対策の一つとして、揺動装置にて脊髄可変による腰痛に対する柔軟運動からはじめ、背筋、側筋、腹筋、等を鍛える運動装置が提案されている中、特に記載の症状に、偏り過ぎている傾向にある。全身運動を加味した方がのぞましい。【０００５】更に「図５」に示すように、揺動自在にパイプ枠をシーソウ運動型に、設計装置の枠態にキャンバスを装備ハンモック形状の台に腰部を預け自力での反動、反発、揺動運動を成す、文献が紹介されているが、運動機能に躍動感が乏しい。
【特許文献１】特開２００１−３４６８４７
【発明の開示】
【発明を解決しようとする課題】
【０００６】本発明は、前述する諸問題に鑑み成されたもので、急増する車社会、多忙を極める現代社会に対するストレスによる、腰痛、肩こり、ムクミ等の諸症状の緩和に終業後にフィットネス、スイミングクラブ等に入会、健康管理に励んでいる現況にありますが、余避時間の取れない現状にある。家庭に揺動＆運動装置を常備、健康管理に務めたいものである。
【発明を解決するための手段】
【発明の効果】
【０００７】前述の構成を有する本発明に係る揺動運動装置であって、長期間の入院患者や病弱な老人、高齢者である使用者の身体状態、即ち、症状に合わせて座位姿勢から、仰向け、横向け、うつ伏せ、姿勢位置での各部揺動運動を、選択して行うことが出来、特に自意識による姿勢をとる事によっての揺動運動により、全身に刺激を与え血行を促進し、血流を旺盛に成す効果を奏し、又駆動機構も偏芯回転機構を利用する事からシンプルなものであり、利用者の症状に合わせて「図４」記載の運動量を調整する事が可能であり、徐々に運動を重ねて成り、機能回復の効果も絶大なものであります。
【０００８】以下、図示の実施に基づいて本発明にかかる揺動運動装置について説明するが、本発明を限定する意図のものではなく、技術的思想を逸脱しない範囲において、変更しうるものであることは勿論である。
【０００９】本発明の運動機構を利用する事に関し、長期の入院患者、不慮の交通事故患者、病弱老人、虚弱体質の患者、退院後の人等、運動不足による血流障害、又は長時間のデスクワークによる下肢のムクミを除去成し、痩身作用も可能。肩こり、腰痛、筋力、筋肉の疲労等を取り除き現代病とも称されるストレスを解消成し、一日も早い社会復帰を図り、健康的な、社会生活を望むものであります。
【産業上の利用可能性】
【００１０】本発明の、揺動運動機能に関し。原動機に接続の回転軸上に偏芯駆動輪を軸架し、その回転軸の前後に傘車を施し、前後の傘車を正逆回転機構にセット成し、傾動可能の揺動板を載置、偏芯駆動輪の回転回動を添うもので、上部載置の揺動盤の先鋭端の前後をカール状に施し、偏芯駆動輪の回転の外周を摺動、∞形の軌跡を辿りエンドレスに揺動、「図２」記載の揺動板の中央に付加の回転盤によるツイスト運動も可能、腰筋、腹筋、側筋、背筋等各関節を柔軟に癒す機能を発揮できる。揺動＆運動装置に存する。
然も、本機は全回転軸による回転機能を屈指する機構に関し、極めてシンプルな設計で軽量、堅牢にて製造、特に安全面に配慮、メンテナンスも容易な揺動＆運動装置を提供します。
【図面の簡単な説明】
【００１１】
【図１】本発明に係る揺動＆運動装置の概略正面図
【図２】本発明に係る揺動＆運動装置の概略側面図
【図３】本発明に係る揺動＆運動装置の概略作動図
【図４】本発明に係る揺動＆運動装置の概略運動器の調整器図
【図５】本発明に係る特開文献の参照参考図
【符号の説明】
１偏芯駆動輪
２偏芯量調整器
３環状カラーリング
４ベアリング
５摺動メタル
６軸
７揺動板
８原動機
９軸受け
１０シャフト
１１回転盤
１２回転盤ブレーキ
１３緩衝バネ
１４支柱（取り外し式）
１５タイミングベルト
１６枕
１７支柱基礎高低調整穴
１８架台
【図１】
2007007366.tif 000003
【図２】
2007007366.tif 000004
【図３】
2007007366.tif 000005
【図４】
2007007366.tif 000006
【図５】
2007007366.tif 000007